(57)【要約】      （修正有） 【課題】ＡＰＬが低い、高いにかかわらず動画の輪郭ノイズを最小化し、フリッカを防止するプラズマディスプレイ装置及びその駆動方法を提供する。 【解決手段】プラズマディスプレイ装置は入力映像の平均画像レベルを計算する計算部と、入力映像のデータを第１サブフィールドグループと第２サブフィルードグループにマッピングするサブフィールドマッピング部と、平均画像レベルによって第１サブフィールドグループにマッピングされたデータと第２サブフィールドグループにマッピングされたデータの間の間隔を制御する制御部を備える。 【選択図】図１４
2005309448.tif 000002
【特許請求の範囲】
【請求項１】
入力映像の平均画像レベルを計算する段階と、 
前記入力映像のデータを第１サブフィールドグループと第２サブフィールドグループにマッピングする段階と、
前記平均画像レベルによって前記第１サブフィールドグループにマッピングされたデータと、前記第２サブフィールドグループにマッピングされたデータの間の間隔を制御する段階と、
を含むことを特徴とするプラズマディスプレイパネルの駆動方法。 
【請求項２】
前記第１サブフィールド群と前記第２サブフィールド群は、一つのフレーム期間内に分散配置されることを特徴とする、 請求項１記載のプラズマディスプレイパネルの駆動方法。 
【請求項３】
前記一つのフレーム期間は、おおよそ１６ｍｓ乃至２０ｍｓ間であることを特徴とする、請求項２記載のプラズマディスプレイパネルの駆動方法。
【請求項４】
前記第１サブフィールドグループにマッピングされたデータと、前記第２サブフィールドグループにマッピングされたデータの間の間隔を制御する段階は、 
前記平均画像レベルが第１レベルと判断されれば前記第２サブフィールドグループにマッピングされたデータの発生時点を延ばす段階と、 
前記平均画像レベルが前記第１レベルより高い第２レベルと判断されれば、前記第２サブフィールドグループにマッピングされたデータの発生時点を早くする段階と、
を含むことを特徴とする請求項１記載のプラズマディスプレイパネルの駆動方法。 
【請求項５】
前記第１サブフィールドグループにマッピングされたデータと、前記第２サブフィールドグループにマッピングされたデータの間の間隔を制御する段階は、 
前記第１サブフィールドグループにマッピングされたデータの発生時点を固定する段階をさらに含むことを特徴とする、 請求項４記載のプラズマディスプレイパネルの駆動方法。 
【請求項６】
前記第１サブフィールドグループにマッピングされたデータと前記第２サブフィールドグループにマッピングされたデータの間の間隔を制御する段階は、 
前記平均画像レベルが前記第１レベルと判断されれば前記第１サブフィールドグループにマッピングされたデータの発生時点を早くする段階と、 
前記平均画像レベルが前記第２レベルと判断されれば前記第１サブフィールドグループにマッピングされたデータの発生時点を延ばす段階とをさらに含むことを特徴とする、請求項４記載のプラズマディスプレイパネルの駆動方法。 
【請求項７】
前記第１サブフィールドグループにマッピングされたデータと、前記第２サブフィールドグループにマッピングされたデータの間の間隔を制御する段階は、 
前記平均画像レベルが第１レベルと判断されれば前記第２サブフィールドグループにマッピングされたデータの発生時点を早くする段階と、 
前記平均画像レベルが前記第１レベルより高い第２レベルと判断されれば、前記第２サブフィールドグループにマッピングされたデータの発生時点を延ばす段階とを含むことを特徴とする、請求項１記載のプラズマディスプレイパネルの駆動方法。 
【請求項８】
前記第１サブフィールドグループにマッピングされたデータと、前記第２サブフィールドグループにマッピングされたデータの間の間隔を制御する段階は、 
前記第１サブフィールドグループにマッピングされたデータの発生時点を固定する段階をさらに含むことを特徴とする、 請求項７記載のプラズマディスプレイパネルの駆動方法。 
【請求項９】
入力映像の平均画像レベルを計算する計算部と、
前記入力映像のデータを第１サブフィールドグループと、第２サブフィールドグループにマッピングするサブフィールドマッピング部と、 
前記平均画像レベルによって前記第１サブフィールドグループにマッピングされたデータと、前記第２サブフィールドグループにマッピングされたデータの間の間隔を制御する制御部と、
を含むことを特徴とするプラズマディスプレイ装置。
【請求項１０】
前記第１サブフィールド群と前記第２サブフィールド群は、一つのフレーム期間内に分散配置されることを特徴とする、請求項９記載のプラズマディスプレイ装置。
【請求項１１】
、 
前記一つのフレーム期間はおおよそ１６  ｍｓ乃至２０ｍｓ間であることを特徴とする、請求項１０記載のプラズマディスプレイ装置。
【請求項１２】
前記制御部は、前記平均画像レベルによって前記第１サブフィールドグループにマッピングされたデータの発生時点を指示するスタートフラグと、前記第２サブフィールドグループにマッピングされたデータの発生時点を指示するミドフラグを発生するフラグ発生部と、
前記スタートフラグに応答して前記第１サブフィールドグループにマッピングされたデータを前記プラズマディスプレイパネルに供給して、前記ミドフラグに応答して前記第２サブフィールドグループにマッピングされたデータを前記プラズマディスプレイパネルに供給するデータ整列部と、
を備えることを特徴とする 請求項９記載のプラズマディスプレイ装置。
【請求項１３】
前記制御部は、前記平均画像レベルが第１レベルと判断されれば前記第２サブフィールドグループにマッピングされたデータの発生時点を延ばして；
前記平均画像レベルが前記第１レベルより高い第２レベルと判断されれば前記第２サブフィールドグループにマッピングされたデータの発生時点を早くすることを特徴とする、請求項９記載のプラズマディスプレイ装置。  
【請求項１４】
前記制御部は、前記第１サブフィールドグループにマッピングされたデータの発生時点を固定することを特徴とする、請求項１３記載のプラズマディスプレイ装置。
【請求項１５】
前記制御部は、前記平均画像レベルが前記第１レベルと判断されれば前記第１サブフィールドグループにマッピングされたデータの発生時点を早くして； 
前記平均画像レベルが前記第２レベルと判断されれば前記第１サブフィールドグループにマッピングされたデータの発生時点を延ばすことを特徴とする、請求項１３記載のプラズマディスプレイ装置。
【請求項１６】
前記制御部は、前記平均画像レベルが第１レベルと判断されれば前記第２サブフィールドグループにマッピングされたデータの発生時点を早くして； 
前記平均画像レベルが前記第１レベルより高い第２レベルと判断されれば前記第２サブフィールドグループにマッピングされたデータの発生時点を延ばすことを特徴とする、請求項９記載のプラズマディスプレイ装置。
【請求項１７】
前記制御部は、前記第１サブフィールドグループにマッピングされたデータの発生時点を固定することを特徴とする、請求項１６記載のプラズマディスプレイ装置。
【発明の詳細な説明】
【技術分野】
【０００１】
本発明はプラズマディスプレイ装置及びその駆動方法に関し、特に、映像の明るさを考慮して輪郭ノイズとフリッカーを低減するようにしたプラズマディスプレイ装置及びその駆動方法に関する。
【背景技術】
【０００２】
一般的に、プラズマディスプレイパネル(Ｐｌａｓｍａ ＤｉｓｐｌａｙＰａｎｅｌ：以下、ＰＤＰだとする)は、Ｈｅ＋ＸｅまたはＮｅ＋Ｘｅ不活性混合ガスの放電の時発生する紫外線で蛍光体を発光させることで画像を表示する。 このようなＰＤＰは、薄膜化と大型化が容易だけでなく、最近の技術開発に負って大きく向上した画質を提供する。特に、３電極交流面放電型ＰＤＰは、放電の時表面に壁電荷が蓄積されて、放電によって発生されるスパッタリングから電極を保護するため、低電圧駆動と長寿命の長所を持つ。  
【０００３】
図１を参照すれば、３電極交流面放電型ＰＤＰは、上部基板１０上に形成されられた多数のスキャン電極(Ｙ)及び多数のサステイン電極(Ｚ)と、下部基板１８上に形成されたアドレス電極(Ｘ)とを備える。 
【０００４】
このＰＤＰの放電セルは、スキャン電極(Ｙ)、サステイン電極(Ｚ)及びアドレス電極(Ｘ)の交差部毎に形成されてマトリックス形態に配置される。  
【０００５】
スキャン電極(Ｙ)とサステイン電極(Ｚ)それぞれは、透明電極１２と、透明電極１２より小さな線幅を持って透明電極の一側端に形成される金属バス電極１１とを含む。 透明電極１２は、通常インジウムティンオキサイド(Ｉｎｄｉｕｍ−Ｔｉｎ−Ｏｘｉｄｅ：ＩＴＯ)で上部基板１０上に形成される。金属バス電極１１は、通常、金属で透明電極１２上に形成されて、抵抗が高い透明電極１２による電圧降下を減らす役目をする。スキャン電極(Ｙ)とサステイン電極(Ｚ)が形成された上部基板１０には、上部誘電体層１３と保護膜１４が積層される。上部誘電体層１３には、プラズマ放電の時発生された壁電荷が積もる。保護膜１４は、プラズマ放電の時発生されたスパッタリングから電極(Ｙ、Ｚ)と上部誘電体層１３を保護して２次電子の放出效率を高める。この保護膜１４には、通常、酸化マグネシウム(ＭｇＯ)が利用される。  
【０００６】
アドレス電極(Ｘ)は、スキャン電極(Ｙ１乃至Ｙｎ)及びサステイン電極(Ｚ)と交差される方向で下部基板１８上に形成される。下部基板１８上には、下部誘電体層１７と隔壁１５が形成される。下部誘電体層１７と隔壁１５の表面には、蛍光体層１６が形成される。隔壁１５は放電セルを物理的に区分する。蛍光体層１６は、プラズマ放電の時発生された紫外線によって励起発光されて、赤色、緑または青色の中で何れか一つの可視光線を発生する。  
【０００７】
上/下部基板(１０、１８)と隔壁１５の間に配置された放電セルの放電空間には、放電のためのＨｅ＋Ｘｅ、 Ｎｅ＋Ｘｅ、 Ｈｅ＋Ｘｅ＋Ｎｅなどの不活性混合ガスが注入される。 
【０００８】
このような３電極交流面放電型ＰＤＰは、画像の階調(Ｇｒａｙ  Ｌｅｖｅｌ)を具現するために、一つのプレームを発光回数が異なる複数のサブフィールドで分けて駆動している。  ２５６階調で画像を表示しようとする場合に１/６０秒にあたるフレーム期間(１６。６  ７ｍｓ)は、図２と同様に、８個のサブフィールド(ＳＦ１乃至ＳＦ８)で分けられる。各サブフィールド(ＳＦ１乃至ＳＦ８)は、放電セルを初期化するためのリセット期間、放電セルを選択するためのアドレス期間及び放電回数によって階調を具現するサステイン期間で分けられる。 各サブフィールド(ＳＦ１乃至ＳＦ８)のリセット期間及びアドレス期間は、各サブフィールド毎に等しい一方、サステイン期間及びその放電回数は各サブフィールドで２ｎ(ただ、 ｎ＝０、１、２、３、４、５、６、７)の割合で増加される。
【０００９】
一方、 ＰＡＬ(Ｐｈａｓｅ Ａｌｔｅｒｎａｔｉｏｎ ｂｙＬｉｎｅ)テレビ方式のように映像信号の周波数が５０Ｈｚである時、２０ｍｓの一つのフレーム期間は、それぞれ多数のサブフィールドを含んで、発光中心が存在する二つのサブフィールド群に時分割される。 このようなサブフィールドパターンは、図３のようである。 図３において‘Ｖｓｙｎｃ’は垂直同期信号で、 ‘ＳＦＰ’は複数のサブフィールドを含むサブフィールドパターンである。 図３のサブフィールドパターンは、それぞれ発光中心が存在する二つのサブフィールドグループ(ＳＦＧ１、 ＳＦＧ２)が重複配置されてフリッカーを減らすことができる。 しかし、図３のような５０Ｈｚ基準のサブフィールドパターンにマッピングされたデータがＰＤＰ上に表示されると、一つのフレーム期間内で輪郭ノイズが二回現われやすく、サブフィールド配置による駆動波形によってコントラスト特性の悪い問題点がある。  
また、図３のような５０Ｈｚ基準のサブフィールドパターンは、映像の明るさによって画質低下要因を違うようにする原因で作用する。例えば、図３のような５０Ｈｚ基準のサブフィールドパターンでＰＤＰ上に映像を表示すれば、映像の明るさが低い場合に表示映像が輪郭ノイズによって画質が落ちる一方、映像の明るさが相対的に高い場合に表示映像がフリッカーによって画質が落ちるようになる。これは図４のように映像の明るさすなわち、平均画像レベル(Ａｖａｒａｇｅ  Ｐｉｃｔｕｒｅ  Ｌｅｖｅｌ、以下、 “ＡＰＬ”とする)にかかわらず、二つのサブフィールドグループ(ＳＦＧ１、ＳＦＧ２)それぞれの開始位置が等しいからである。 図４で、スタートフラグ(Ｆｓｔ)は、フレーム期間の開始時点に同期される第１サブフィールドグループ(ＳＦＧ１)の開始位置を指示するための信号で、ミドフラグ(Ｆｍｉｄ)は、おおよそフレーム期間の１/２時点に設定される第２サブフィールドグループ(ＳＦＧ２)の開始時点である。一方、ＡＰＬが高い時(Ｈ)サステインパルスの個数が多く割り当てされて、ＡＰＬが低い時(Ｈ)サステインパルスの個数が相対的に小さく割り当てされるから、図４で分かるように、 ＡＰＬによってサブフィールドグループ(ＳＦＧ１、ＳＦＧ２)それぞれの有效長さが変わる問題点がある。
【発明の開示】
【発明が解決しようとする課題】
【００１０】
本発明の目的は、ＡＰＬが低い時輪郭ノイズを最小化することと同時に、ＡＰＬが高い時フリッカー発生を防止することができるプラズマディスプレイ装置及びその駆動方法を提供することである。
【課題を解決するための手段】
【００１１】
本発明によるプラズマディスプレイ装置の駆動方法は入力映像の平均画像レベルを計算する段階と前記入力映像のデータを第１サブフィールドグループと第２サブフィールドグループにマッピングする段階と、前記平均画像レベルによって前記第１サブフィールドグループにマッピングされたデータと前記第２サブフィールドグループにマッピングされたデータの間の間隔を制御する段階を含むことを特徴とする。 
【００１２】
本発明によるプラズマディスプレイ装置は入力映像の平均画像レベルを計算する計算部と、前記入力映像のデータを第１サブフィールドグループと第２サブフィールドグループにマッピングするサブフィールドマッピング部と、前記平均画像レベルによって前記第１サブフィールドグループにマッピングされたデータと前記第２サブフィールドグループにマッピングされたデータの間の間隔を制御する制御部を含むことを特徴とする。
【００１３】
前記第１サブフィールド群と前記第２サブフィールド群は一つのフレーム期間内に分散配置される。
【００１４】
前記したフレーム期間はおおよそ１６ｍｓ乃至２０ｍｓ間である。 
【００１５】
前記第１サブフィールドグループにマッピングされたデータと前記第２サブフィールドグループにマッピングされたデータの間の間隔を制御する段階は前記平均画像レベルが第１レベルと判断されれば前記第２サブフィールドグループにマッピングされたデータの発生時点を延ばす段階と、前記平均画像レベルが前記第１レベルより高い第２レベルと判断されれば前記第２サブフィールドグループにマッピングされたデータの発生時点を早くする段階を含む。 
【００１６】
前記第１サブフィールドグループにマッピングされたデータと前記第２サブフィールドグループにマッピングされたデータの間の間隔を制御する段階は前記第１サブフィールドグループにマッピングされたデータの発生時点を固定する段階をさらに含む。 
【００１７】
前記第１サブフィールドグループにマッピングされたデータと前記第２サブフィールドグループにマッピングされたデータの間の間隔を制御する段階は前記平均画像レベルが前記第１レベルと判断されれば前記第１サブフィールドグループにマッピングされたデータの発生時点を早くする段階と、前記平均画像レベルが前記第２レベルと判断されれば前記第１サブフィールドグループにマッピングされたデータの発生時点を延ばす段階をさらに含む。 
【００１８】
前記第１サブフィールドグループにマッピングされたデータと前記第２サブフィールドグループにマッピングされたデータの間の間隔を制御する段階は前記平均画像レベルが第１レベルと判断されれば前記第２サブフィールドグループにマッピングされたデータの発生時点を早くする段階と、前記平均画像レベルが前記第１レベルより高い第２レベルと判断されれば前記第２サブフィールドグループにマッピングされたデータの発生時点を延ばす段階を含む。 
【００１９】
本発明によるプラズマディスプレイ装置は入力映像の平均画像レベルを計算する計算部と、前記入力映像のデータを第１サブフィールドグループと第２サブフィールドグループにマッピングするサブフィールドマッピング部と、前記平均画像レベルによって前記第１サブフィールドグループにマッピングされたデータと前記第２サブフィールドグループにマッピングされたデータの間の間隔を制御する制御部を備える。 
【００２０】
前記制御部は前記平均画像レベルによって前記第１サブフィールドグループにマッピングされたデータの発生時点を指示するスタートフラグと前記第２サブフィールドグ
ループにマッピングされたデータの発生時点を指示するミドフラグを発生するフラグ発生部と、前記スタートフラグに応答して前記第１サブフィールドグループにマッピングされたデータを前記プラズマディスプレイパネルに供給して前記ミドフラグに応答して前記第２サブフィールドグループにマッピングされたデータを前記プラズマディスプレイパネルに供給するデータ整列部を備える。 
【発明の効果】
【００２１】
このような本発明は５０Ｈｚの入力映像に対して一つのフレームの映像をそれぞれ発光中心が存在する二つのサブフィールドグループのそれぞれにマッピングして、一つのフレーム期間(２０ｍｓ)内にお互いに違うサブフィールドグループにマッピングされたデータをＰＤＰ上に連続で表示する。 よって、等しい映像がマッピングされるお互いに違うサブフィールドグループのそれぞれにマッピングされるデータに対してサブフィールドグループによって最適化された画質処理ができるようにすることで表示映像のフリッカーと輪郭ノイズを減らして階調表現力を進めることができる。  
【発明を実施するための最良の形態】
【００２２】
以下、本発明の実施例を添付された図面を参照して詳細に説明する。
【００２３】
図３及び図５を参照すれば、本発明の実施例によるＰＤＰの駆動方法に適用されるサブフィールドパターンは加重値が漸進的に低くなる順にサブフィールドが配置されるか、その逆順に配置された二つのサブフィールドグループ(ＳＦＧ１、ＳＦＧ２、 ＩＳＦＧ１、 ＩＳＦＧ２)を含んだサブフィールドパターンを選択する。 
【００２４】
表１と図６は、図３のようなサブフィールドパターンの一つの例を示す。
【表１】
2005309448.tif 000003
【００２５】
表２と図７は図５のようなサブフィールドパターンの一つの例を示す。
【表２】
2005309448.tif 000004
【００２６】
表２のサブフィールドパターンで第１サブフィールドグループ(ＩＳＦＧ１)は、高階調を表現するための高加重値のサブフィールドが前に配置されて、中間階調を表現するための中間加重値のサブフィールドと低階調を表現するための低加重値のサブフィールドがその後に配置される。 よって、第１サブフィールドグループ(ＩＳＦＧ１)は、高加重値から低加重値順にサブフィールドが配置される。
【００２７】
表２のサブフィールドパターンで第２サブフィールドグループ(ＩＳＦＧ２)は、第１サブフィールドグループ(ＩＳＦＧ１)後に配置される。 この第２サブフィールドグループ(ＩＳＦＧ２)は、高階調を表現するための高加重値のサブフィールドが前に配置されて中間階調を表現するための中間加重値のサブフィールドがその後に配置される。 よって、第２サブフィールドグループ(ＩＳＦＧ２)は、低加重値のサブフィールドパターンなしに高加重値で中間加重値順にサブフィールドが配置される。
【００２８】
ＰＤＰがプールホワイトでともった時の最大輝度を１００%と仮定する時、表２のサブフィールドパターンで低加重値のサブフィールドは7/200*S100=2.745%以下の加重値が付与されるサブフィールドと定義されて、中間加重値のサブフィールドは8/255*S100=3.317%で80/255*S100=31.373%間の加重値が付与されるサブフィールドに定義される。そして高加重値のサブフィールドは81/255*S100=31.764%で255/255*S100=100%間の加重値が付与される。
【００２９】
表２のサブフィールドパターンは、一つのフレーム期間でおおよそ中間時点前後に配置された第１サブフィールドグループ(ＩＳＦＧ１)内の低加重値サブフィールドを利用して低階調を表現して、一つのフレーム期間で初半部と後半部に分散配置された第１サブフィールドグループ(ＩＳＦＧ１)内の中間及び高加重値サブフィールドと第２サブフィールドグループ(ＩＳＦＧ２)内の中間及び高加重値サブフィールドを利用して中間及び高階調を表現する。 このような表２のサブフィールドパターンによって低階調表現の時では接した低加重値のサブフィールドで放電セルが連続的にともるようになる。 表２のサブフィールドパターンによって中間及び高階調表現の時では、第１サブフィールドグループ(ＩＳＦＧ１)と第２サブフィールドグループ(ＩＳＦＧ２)で分散配置された中間及び高加重値のサブフィールドに放電セルがともる。 よって、表２のサブフィールドパターンは動映像で低階調表現の時にサブフィールドが連続的にともるようになるので低階調で疑似輪郭ノイズを最小化して、中間及び高階調表現の時に発光分布が時間的に均衡を成しながら分散して発光中心が殆ど搖れなくなるので中間及び高階調でフリッカーを低減することができる長所がある。  
【００３０】
図８及び図９は、本発明の第１実施例によるＰＤＰの駆動方法において、映像の明るさによって第２サブフィールドグループ(ＳＦＧ２、 ＩＳＦＧ２)にマッピングされたデータの開始位置を相異するように制御する方法を説明するための図面である。  
【００３１】
図８及び図９を参照すれば、本発明の第１実施例によるＰＤＰの駆動方法は、スタートフラグ(Ｆｓｔ)をフレーム期間の開始時点に発生して、第１サブフィールドグループ(ＳＦＧ１、 ＩＳＦＧ１)の始め位置をフレーム期間の始め位置に同期させてミドフラグ(Ｆｍｉｄ)をＡＰＬが低いほどさらに遅く発生して、第１サブフィールドグループ(ＳＦＧ１、 ＩＳＦＧ１)と第２サブフィールドグループ(ＳＦＧ２、ＩＳＦＧ２)の間の間隔を可変する。
【００３２】
第１及び第２サブフィールドグループ(ＳＦＧ１、ＩＳＦＧ１、ＳＦＧ２、ＩＳＦＧ２)それぞれは、ＡＰＬが高いほどサステインパルスの個数が小さく割り当てされる。
【００３３】
この実施例で第１サブフィールドグループ(ＳＦＧ１、 ＩＳＦＧ１)の開始位置は固定されているのに比べて、第２サブフィールドグループ(ＳＦＧ２、ＩＳＦＧ２)の開始位置は可変される。 第２サブフィールドグループ(ＳＦＧ２、 ＩＳＦＧ２)の開始位置は、Ｈ１大きさ以下のＡＰＬ以下までＡＰＬが大きいほど早めになって、Ｈ１とＨ２間のＡＰＬ範囲でＡＰＬが大きいほど遅くなる。 よって、映像の明るさが低ければすなわち、ＡＰＬが低ければ第１サブフィールドグループ(ＳＦＧ１、ＩＳＦＧ１)と第２サブフィールドグループ(ＳＦＧ２、 ＩＳＦＧ２)の間の間隔が遠くなるようになるので光量が分散してフリッカーが低減されて、 ＡＰＬが高ければ第１サブフィールドグループ(ＳＦＧ１、ＩＳＦＧ１)と第２サブフィールドグループ(ＳＦＧ２、ＩＳＦＧ２)の間の間隔が狭くなるようになって、放電セルが連続的にともるようになるので輪郭ノイズが低減される。 また、 Ｈ２以上に高いＡＰＬでは第１サブフィールドグループ(ＳＦＧ１、ＩＳＦＧ１)と第２サブフィールドグループ(ＳＦＧ２、ＩＳＦＧ２)の間の間隔が遠くなるようになる。
【００３４】
図１０及び図１１は、本発明の第２実施例によるＰＤＰの駆動方法において、映像の明るさによって第１サブフィールドグループ(ＳＦＧ１、 ＳＦＧ２)の開始位置と第２サブフィールドグループ(ＳＦＧ２、 ＩＳＦＧ２)の開始位置を違うように制御する方法を説明するための図面である。  
【００３５】
図１０及び図１１を参照すれば、本発明の第２実施例によるＰＤＰの駆動方法は、スタートフラグ(Ｆｓｔ)とミドルフラグ(Ｆｍｉｄ)の発生時点を可変して、第１サブフィールドグループ(ＳＦＧ１、 ＩＳＦＧ１)と第２サブフィールドグループ(ＳＦＧ２、 ＩＳＦＧ２)の間の間隔を可変する。  
【００３６】
第１及び第２サブフィールドグループ(ＳＦＧ１、ＩＳＦＧ１、ＳＦＧ２、ＩＳＦＧ２)それぞれは、ＡＰＬが高いほどサステインパルスの個数が小さく割り当てされる。  
【００３７】
第１サブフィールドグループ(ＳＦＧ１、 ＩＳＦＧ１)の開始位置は、Ｈ１大きさ以下のＡＰＬ以下までＡＰＬが大きいほど遅くなって、Ｈ１とＨ２間のＡＰＬ範囲でＡＰＬが大きいほど早めになる。 第２サブフィールドグループ(ＳＦＧ２、ＩＳＦＧ２)の開始位置は、Ｈ１大きさ以下のＡＰＬ以下までＡＰＬが大きいほど早めになってＨ１とＨ２間のＡＰＬ範囲でＡＰＬが大きいほど遅くなる。 よって、映像の明るさが低ければ、すなわち、ＡＰＬが低ければ第１サブフィールドグループ(ＳＦＧ１、 ＩＳＦＧ１)と第２サブフィールドグループ(ＳＦＧ２、 ＩＳＦＧ２)の間の間隔が遠くなるようになるので、光量が分散してフリッカーが低減されて、 ＡＰＬが高ければ第１サブフィールドグループ(ＳＦＧ１、ＩＳＦＧ１)と第２サブフィールドグループ(ＳＦＧ２、ＩＳＦＧ２)の間の間隔が狭くなるようになって、放電セルが連続的にともるようになるので輪郭ノイズが低減される。 また、 Ｈ２以上に高いＡＰＬでは、第１サブフィールドグループ(ＳＦＧ１、ＩＳＦＧ１)と第２サブフィールドグループ(ＳＦＧ２、ＩＳＦＧ２)の間の間隔が遠くなるようになる。  
【００３８】
図１２及び図１３は本発明の第３実施例によるＰＤＰの駆動方法において、映像の明るさによって第２サブフィールドグループ(ＳＦＧ２、 ＩＳＦＧ２)の開始位置を相異するように制御する方法を説明するための図面である。  
【００３９】
図１２及び図１３を参照すれば、本発明の第３実施例によるＰＤＰの駆動方法は、スタートフラグ(Ｆｓｔ)をフレーム期間の開始時点に発生して第１サブフィールドグループ(ＳＦＧ１、 ＩＳＦＧ１)の開始位置をフレーム期間の始め位置に同期させて、ミドフラグ(Ｆｍｉｄ)をＡＰＬが低いほどさらに早く発生して、第１サブフィールドグループ(ＳＦＧ１、 ＩＳＦＧ１)と第２サブフィールドグループ(ＳＦＧ２、ＩＳＦＧ２)の間の間隔を可変する。 
【００４０】
この実施例で第１サブフィールドグループ(ＳＦＧ１、 ＩＳＦＧ１)の開始位置は固定されているのに比べて、第２サブフィールドグループ(ＳＦＧ２、ＩＳＦＧ２)の開始位置は可変される。 第２サブフィールドグループ(ＳＦＧ２、ＩＳＦＧ２)の開始位置はＨ１以下のＡＰＬ以下までＡＰＬが大きいほど遅くなる。  
【００４１】
結果的に、本発明によるＰＤＰの駆動方法は、映像の明るさによって違うように現われる画質低下要因を第１及び第２サブフィールドグループ(ＳＦＧ１、 ＩＳＦＧ１、 ＳＦＧ２、ＩＳＦＧ２)の間の間隔を可変することでとり除く。 特に、本発明によるＰＤＰの駆動方法はＡＰＬが低い時、視感的に目にさらによく感じられる輪郭ノイズを最小化することができ、ＡＰＬが高い時視感的に目にさらによく感じられるフリッカーを最小化することができる。  
【００４２】
図１４は本発明の実施例によるＰＤＰの駆動装置を示す。  
【００４３】
図１４を参照すれば、本発明によるＰＤＰの画質制御装置は、第１逆ガンマ調整部１ａとデータ整列部５との間に接続されたゲイン調整部２、ハーフトーン処理部３及びサブフィールドマッピング部４と、第２逆ガンマ調整部１ｂと波形発生部７の間に接続されたＡＰＬ計算部８と、 ＡＰＬによってスタートフラグ(Ｆｓｔ)とミドフラグ(Ｆｍｉｄ)を発生するためのフラグ発生部９を備える。  
【００４４】
第１及び第２逆ガンマ補正部(１ａ、 １ｂ)それぞれは、入力ラインからのデジタルビデオデータ(ＲＧＢ)を２。２逆ガンマ補正して映像信号の階調値に対する輝度を線形的に変換させる。 
【００４５】
ゲイン調整部２、は赤色、緑色及び青色の各データ別で有效利得を調整して色温図を償う。  
【００４６】
ハーフトーン処理部３は、ゲイン調整部２から入力されるデジタルビデオデータ(ＲＧＢ)に対して誤差拡散を実施して量子化誤差を接したセルで拡散させて予め設定されたディザマスクを利用して量子化誤差を臨界化して輝度値を微細に調整する。  
【００４７】
サブフィールドマッピング部４は表１及び表２のようなサブフィールドパターンにハーフトーン処理部３から入力されたデータを各ビート別にあらかじめマッピングしてそのマッピングデータをデータ整列部５に供給する。 
【００４８】
データ整列部５は、サブフィールドマッピング部４から入力されるデジタルビデオデータをＰＤＰ６のデータ駆動回路に供給する。 データ駆動回路では、複数の集積回路を含んでＰＤＰ６のアドレス電極に接続されてデータ整列部５から入力されるデータを１水平ラインずつラッチした後にラッチされたデータを１水平期間単位でＰＤＰ６のアドレス電極に供給するようになる。 また、データ整列部５は、フラグ発生部９からのフラグ(Ｆｓｔ、 Ｆｍｉｄ)によって表１及び表２のサブフィールドパターンで第１サブフィールドグループ(ＳＦＧ１、ＩＳＦＧ１)と第２サブフィールドグループ(ＳＦＧ２、ＩＳＦＧ２)の間の間隔を可変する。 このデータ整列部５  はフラグ発生部９からのフラグ(Ｆｓｔ、 Ｆｍｉｄ)に応答して、第１サブフィールドグループ(ＳＦＧ１、ＩＳＦＧ１)にマッピングされたデータと、第２サブフィールドグループ(ＳＦＧ２、 ＩＳＦＧ２)にマッピングされたデータの供給時点を可変する。  
【００４９】
波形発生部７はＡＰＬ計算部８からのサステインパルス数(Ｎｓｕｓ)に応答してタイミング制御信号を生成して、そのタイミング制御信号を図示しないＰＤＰ６  のスキャン駆動回路とサステイン駆動回路に供給する。 スキャン駆動回路とサステイン駆動回路では、波形発生部７から入力されるタイミング制御信号に応答して、サステイン期間の間ＰＤＰ６のスキャン電極とサステイン電極にサステインパルスを供給する。 
【００５０】
ＡＰＬ計算部８は、図１５のようなＡＰＬカーブがルックアップテーブル形態に保存されたＲＯＭと、そのＲＯＭをアクセスするためのアドレス制御回路を含む。図１５のＡＰＬカーブによってＡＰＬ計算部８は。映像信号の明るさが高く検出されればすなわち、 ＡＰＬが高ければ相対的にサステインパルス数(Ｎｓｕｓ)を減少させて半分どおり、映像信号の明るさが低ければすなわち、 ＡＰＬが低ければ相対的にサステインパルス数(Ｎｓｕｓ)を増加させる。  
【００５１】
フラグ発生部９は、垂直同期信号をクロック信号に係数して図８乃至図１３のようなスタートフラグ (Ｆｓｔ)とミドフラグ(Ｆｍｉｄ)を発生してそのスタートフラグ(Ｆｓｔ)とミドフラグ(Ｆｍｉｄ)をデータ整列部５  に供給する。 また、フラグ発生部９は、波形発生部７から発生される駆動波形を感知して第１サブフィールドグループ(ＳＦＧ１、 ＩＳＦＧ１)の最後の駆動波形からの時間を係数してミドフラグ(Ｆｍｉｄ)を発生することができる。  
【００５２】
ＡＰＬ計算部８、フラグ発生部９及びデータ整列部５は、映像の明るさによって第１サブフィールドグループ(ＳＦＧ１、 ＩＳＦＧ１)にマッピングされたデータと、第２サブフィールドグループ(ＳＦＧ２、 ＩＳＦＧ２)の間の間隔を制御するための制御手段の役目をする。  
【図面の簡単な説明】
【００５３】
【図１】図１は従来の３電極交流面放電型プラズマディスプレイパネルの放電セルを示す 斜視図。
【図２】図２は一つのフレーム期間で時分割された８個のサブフィールドを含むサブフィールドパターンを示す図。
【図３】図３は５  ０Ｈｚ駆動方法を説明するためのサブフィールドパターンを示す図。
【図４】図４は図３のサブフィールドパターンで映像の明るさにかかわらず固定された各サブフィールドグループを示す図。
【図５】図５は本発明の実施例によるプラズマディスプレイパネルで利用されるサブフィールドパターンの一つの例を示す図。
【図６】図６は図３のようなサブフィールドパターンに付与された加重値の一つの例を示す図。
【図７】図７は図５  のようなサブフィールドパターンに付与された加重値の一つの例を示す図。
【図８】図８は本発明の第１実施例によるプラズマディスプレイパネルの駆動方法において、映像の明るさによって可変される第２サブフィールドグループの始め位置を示す図。
【図９】図９は本発明の第１実施例によるプラズマディスプレイパネルの駆動方法において、映像の明るさによって可変される第２サブフィールドグループの始め位置を示す図。
【図１０】図１０は本発明の第２実施例によるプラズマディスプレイパネルの駆動方法において、映像の明るさによってそれぞれ可変される第１及び第２サブフィールドグループの始め位置を示す図。
【図１１】図１１は本発明の第２実施例によるプラズマディスプレイパネルの駆動方法において、映像の明るさによってそれぞれ可変される第１及び第２サブフィールドグループの始め位置を示す図。
【図１２】図１２は本発明の第３実施例によるプラズマディスプレイパネルの駆動方法において、映像の明るさによって可変される第２サブフィールドグループの始め位置を示す図。
【図１３】図１３は本発明の第３実施例によるプラズマディスプレイパネルの駆動方法において、映像の明るさによって可変される第２サブフィールドグループの始め位置を示す図。
【図１４】図１４は本発明の実施例によるプラズマディスプレイパネルの駆動装置を示すブロック図であり、
【図１５】図１５  は図１４に示した平均画像レベル計算部に予め設定された平均画像レベル台サステインパルス数を示すグラフである。
【図１】
2005309448.tif 000005
【図２】
2005309448.tif 000006
【図３】
2005309448.tif 000007
【図４】
2005309448.tif 000008
【図５】
2005309448.tif 000009
【図６】
2005309448.tif 000010
【図７】
2005309448.tif 000011
【図８】
2005309448.tif 000012
【図９】
2005309448.tif 000013
【図１０】
2005309448.tif 000014
【図１１】
2005309448.tif 000015
【図１２】
2005309448.tif 000016
【図１３】
2005309448.tif 000017
【図１４】
2005309448.tif 000018
【図１５】
2005309448.tif 000019